(57)【要約】 【課題】  画像データの転送先との連携をスムーズに行い、かつ、メモリ使用量を節約することができる画像形成装置を提供する。【解決手段】  第１画像データを印刷する場合に、紙間で分割された第２画像データに対する画像処理を行う。第１画像データの１ページ分の印刷が終了すると、分割された第２画像データの読み取りを行い、読み取りが所定のライン数に達したかどうかを判断する。この判断は判定回路２０１ｂが行い、ラインカウンタ２０１ａのカウント数と、要求ライン数とが一致したときに所定のライン数に達したと判断する。所定のライン数に達していればchain_end信号を出力し、第１画像データの次ページの印刷を開始する。【選択図】      図１
2008079048.tif 000002
【特許請求の範囲】
【請求項１】
第１画像データを画像処理部によって画像処理し、画像処理後の第１画像データを印字部によって複数枚の記録紙に印字記録を実行し、第１画像データの印字記録と並行して第１画像データとは異なる第２画像データを画像処理部で画像処理する画像形成装置において、
原稿に形成されている画像データを読み取る画像データ読取部と、
第１画像データが印字記録される記録紙同士によって形成される間隔であって先行する記録紙の印字記録が終了する位置と後行する記録紙の印字記録が開始する位置との間隔である紙間を設定する紙間設定部と、
画像データ読取部で読み取られた原稿１枚分の第２画像データを複数に分割し分割画像データを作成する画像分割部と、
分割画像データを紙間において画像処理するように画像処理部の動作を制御する制御部と、
前記分割画像データを転送するときに、分割画像データの転送先から要求される容量に達すると転送の完了を示す完了信号を出力する転送制御部を有することを特徴とする画像形成装置。
【請求項２】
前記画像処理は回転処理であることを特徴とする請求項１記載の画像形成装置。
【請求項３】
前記転送制御部は第１画像データと第２画像データとを転送先に転送させることを特徴とする請求項１に記載の画像形成装置。
【請求項４】
前記第２画像データは電子変倍処理された画像データであることを特徴とする請求項１記載の画像形成装置。
【請求項５】
前記紙間処理の一時停止は、画像処理部から出力されるデータ有効信号のエッジを検出したときに行うことを特徴とする請求項１記載の画像形成装置。
【請求項６】
前記分割画像データは、隣接する分割画像データ同士で重複する部分を有することを特徴とする請求項１記載の画像形成装置。
【発明の詳細な説明】
【技術分野】
【０００１】
本発明は、画像処理後の第１画像データを印字部によって複数枚の記録紙に印字記録を実行し、第１画像データの印字記録と並行して第１画像データとは異なる第２画像データを画像処理部で画像処理する画像形成装置に関する。
【背景技術】
【０００２】
画像形成装置の１種である複写機には、１つの画像データの印字記録を実行しながら、もう１つの画像データを読み取ることができるいわゆるマルチアクセスタイプの機種がある。マルチアクセスタイプの複写機においては、処理速度の向上が強く望まれており、第１の画像データを印字記録するための画像処理と、読み取った第２の画像データの画像処理とを並行で実行できるように、処理回路である画像処理部を２つ備えるものがある。
【０００３】
しかしながら、高度な画像処理を実行する画像処理部は、価格が高いので装置コストを高騰させる原因となる。したがって、画像処理部を１つのみ備えるようにしてコストを低く抑え、かつ処理速度も速い画像形成装置が求められている。
【０００４】
マルチアクセスタイプの画像形成装置において、１つの画像データが複数ページからなる場合、各ページに対応する複数枚の記録紙が印字記録される。このような場合、処理速度を向上するための１つの手段として、１つのページに対する処理と次のページに対する処理との間、すなわちある記録紙への印字記録とその次の記録紙への印字記録との間である紙間を利用することが考えられる。このような紙間に着目する先行技術として、複数のジョブを割込みで実行できる画像形成装置において、１つのジョブの進行中にその用紙間隔を検出し、その用紙間隔内に現在実行されていないジョブの実行が可能であれば割込みジョブとして実行する画像形成装置がある（特許文献１参照）。
【０００５】
特許文献１では、通常プリントジョブ実行中の紙間に割込みプリントジョブを実行することによって処理効率を向上することが開示されるに過ぎず、前述のようなマルチアクセスタイプの画像形成装置において、コストを低減するべく画像処理部を１つに限定し、１つの画像データの印字記録と、もう１つの画像データの画像処理とを並行で実行可能にして処理効率を向上するという課題およびその解決手段については全く開示されていない。
【０００６】
【特許文献１】特開２００４−１７３２９１号公報
【発明の開示】
【発明が解決しようとする課題】
【０００７】
本件発明者らは、上記の紙間に着目し、第１の画像データに対する紙間を設定する紙間設定部と、原稿１枚分の第２画像データを複数に分割し分割画像データを作成する画像分割部と、分割画像データを紙間において画像処理するように画像処理部の動作を制御する制御部とを含む画像形成装置を開発した。
【０００８】
たとえば、分割画像データの変倍処理を行うような場合を想定する。分割前が３８４ラインでこれを１／３（１２８ライン）に分割し、１５０％の変倍を行うと１９２ラインを処理することになる。この画像形成装置では、変倍したライン数をデータのリングメモリ深さとしてＤＭＡ（Direct Memory Access）設定し、バンドの最終端のアドレスまでＤＭＡを完了(バンドエンド)すると、第１の画像データの次ページを処理するために、紙間処理を一時停止させる。
【０００９】
この画像形成装置では、変倍処理を行う画像処理部と、分割された画像を組み立てる画像組立部とが同じ１つの制御部で制御されているが、それぞれがハードウェア的に、またはソフトウェア的にそれぞれ独立して制御されている場合、画像処理部から入力される変倍後の分割画像データのライン数が不明であるので処理することができない。
【００１０】
本発明の目的は、画像データの転送先との連携をスムーズに行い、かつ、メモリ使用量を節約することができる画像形成装置を提供することである。
【課題を解決するための手段】
【００１１】
本発明は、第１画像データを画像処理部によって画像処理し、画像処理後の第１画像データを印字部によって複数枚の記録紙に印字記録を実行し、第１画像データの印字記録と並行して第１画像データとは異なる第２画像データを画像処理部で画像処理する画像形成装置において、
原稿に形成されている画像データを読み取る画像データ読取部と、
第１画像データが印字記録される記録紙同士によって形成される間隔であって先行する記録紙の印字記録が終了する位置と後行する記録紙の印字記録が開始する位置との間隔である紙間を設定する紙間設定部と、
画像データ読取部で読み取られた原稿１枚分の第２画像データを複数に分割し分割画像データを作成する画像分割部と、
分割画像データを紙間において画像処理するように画像処理部の動作を制御する制御部と、
前記分割画像データを転送するときに、分割画像データの転送先から要求される容量に達すると転送の完了を示す完了信号を出力する転送制御部を有することを特徴とする画像形成装置である。
【００１２】
また本発明は、前記画像処理は回転処理であることを特徴とする。
また本発明は、前記転送制御部は第１画像データと第２画像データとを転送先に転送させることを特徴とする。
【００１３】
また本発明は、前記第２画像データは電子変倍処理された画像データであることを特徴とする。
【００１４】
また本発明は、前記紙間処理の一時停止は、画像処理部から出力されるデータ有効信号のエッジを検出したときに行うことを特徴とする。
【００１５】
また本発明は、前記分割画像データは、隣接する分割画像データ同士で重複する部分を有することを特徴とする。
【発明の効果】
【００１６】
本発明によれば、画像データ読取部が原稿に形成されている画像データを読み取ると、紙間設定部は、第１画像データが印字記録される記録紙同士によって形成される間隔であって先行する記録紙の印字記録が終了する位置と後行する記録紙の印字記録が開始する位置との間隔である紙間を設定する。
【００１７】
画像データ読取部で読み取られた原稿１枚分の第２画像データは、画像分割部によって複数に分割し分割画像データが作成される。
【００１８】
転送制御部は、前記分割画像データを転送するときに、分割画像データの転送先から要求される容量に達すると転送の完了を示す完了信号を出力する。
【００１９】
これにより、紙間処理という限られた時間内で、処理容量に制約を持つ連携先との連携をスムーズに行い、かつ、メモリ使用量を節約することが可能となる。
【００２０】
また本発明によれば、画像処理として回転処理を行うことができる。
また本発明によれば、前記転送制御部は分割画像データだけではなく、第１画像データの転送も行うことができる。
【００２１】
また本発明によれば、電子変倍処理された分割画像データの転送を行うことができる。
また本発明によれば、前記紙間処理の一時停止は、画像処理部から出力されるデータ有効信号のエッジを検出したときに行う。紙間処理時と印字処理時とで、1つの制御部を共有することが可能となり、回路規模が節減される。
【００２２】
また本発明によれば、前記分割画像データは、隣接する分割画像データ同士で重複する部分を有する。これにより、分割画像データの画像処理に必要な周辺画素を含むことができる。
【発明を実施するための最良の形態】
【００２３】
図１は、本発明の実施の一形態である画像形成装置１の電気的構成を簡略化して示すブロック図である。図１に示す画像形成装置１は、たとえばコンピュータ５に接続されコンピュータ５から入力される画像データに基づいて画像形成するプリンタと、原稿に形成されている画像データを複写する複写機としての機能を兼ね備える複合機である。
【００２４】
画像形成装置１は、大略、コントローラ部２と、スキャナ部３と、印字部であるプリンタ部４とを含んで構成される。
【００２５】
スキャナ部３は、画像が予め形成されている原稿が載置される原稿載置部と、原稿載置部に載置される原稿の画像を光走査して画像データを読取る光走査部とを含む画像データ読取部を構成する。スキャナ部３によって読み取られた原稿の画像データは、コントローラ部２に備わる画像メモリ１５に記憶される。
【００２６】
コントローラ部２は、制御部１１と、制御部１１にそれぞれ接続される操作部１２、記憶部１３および表示部１４と、同じく制御部１１に接続される画像メモリ１５、画像分割部１６、画像入力部１７、画像処理部１８、画像出力部１９、画像組立部２０、画像バッファ２１、レーザ制御集積回路（レーザ制御ＩＣ）２２とを含んで構成される。
【００２７】
制御部１１は、たとえば中央演算処理装置（ＣＰＵ）を備える処理回路である。制御部１１は、画像形成装置１の全体動作を制御するとともに、制御部１１に接続される上記各部の動作を制御する。
【００２８】
記憶部１３は、たとえばリードオンリメモリ（ＲＯＭ）、ランダムアクセスメモリ（ＲＡＭ）、不揮発性メモリなどによって構成され、制御部１１が画像形成装置１を動作制御するためのプログラム、また後述する紙間の処理ライン数を設定するために用いられるテーブルデータなどが記憶される。
【００２９】
操作部１２は、画像形成装置１の操作者が動作指令または動作条件などを入力する入力部でもあり、たとえばキーボードと各動作指令を入力することができるように設定された入力ボタン、タッチパネルなどを備える。
【００３０】
表示部１４は、たとえば液晶ディスプレイ（ＬＣＤ）などによって構成される。表示部１４には、印字記録するべき記録紙の枚数などが、制御部１１の表示動作指令に従って表示される。
【００３１】
ここで、コントローラ部２の残部の説明の前に紙間について説明する。図２は、画像形成装置１の感光体ドラム２４周辺の機械的構成を簡略化して示す図である。画像形成装置１の印字部に含まれる感光体ドラム２４の周囲には、矢符２５にて示す回転方向の上流側から下流側に向けて順番に、感光体ドラム２４を一様に帯電させる不図示の帯電器と、一様に帯電された感光体ドラム２４を画像データに応じた光で露光して感光体ドラム２４の表面に静電潜像を形成する露光手段２６と、感光体ドラム２４の表面に現像剤を供給して静電潜像を現像してトナー画像を形成する不図示の現像器と、感光体ドラム２４と逆のバイアスを印加して感光体ドラム２４上のトナー画像を記録紙上に転写する転写ローラ２７とが設けられる。トナー画像が転写される記録紙および記録された後の記録紙は、搬送経路３０上に複数組設けられる搬送ローラ２８によって、矢符２９方向に搬送される。
【００３２】
紙間は、第１画像データが印字記録される記録紙同士によって形成される間隔であって、先行する第１記録紙３１の印字記録が終了する位置と、後行する第２記録紙３２の印字記録が開始する位置との間隔で定義される。この紙間は、厳密には第１および第２記録紙３１，３２の搬送経路３０上ではなく、感光体ドラム２４上で設定される。すなわち、紙間は、感光体ドラム２４の周方向において、第１記録紙３１に画像形成されるべき静電潜像における最後の画像データを露光手段２６で走査する位置３３と、さらに感光体ドラム２４が矢符２５方向に回転して前記位置３３へ達するとき、第２記録紙３２に対して画像形成するために静電潜像の最初の画像データを露光手段２６で書込み開始する位置３４との距離であり、時間では該距離を感光体ドラム２４の回転速度で除した値である。
【００３３】
感光体ドラム２４上に設定される紙間に対して、搬送経路３０上の第１記録紙３１と第２記録紙３２との搬送間隔が合致するようにタイミング調整される。該タイミング調整は、以下のように行われる。搬送経路３０に沿って、記録紙を検出する２つの第１および第２検出センサ３５，３６を予め定める間隔を有するようにして設ける。第１および第２検出センサ３５，３６によって検出される記録紙の搬送速度と、第２検出センサ３６によって検出される第２記録紙３２の先頭部の検出結果とが、制御部１１へ入力され、制御部１１が、搬送ローラ２８の駆動系に対して動作指令を出力するとともに、レジストローラ３７の駆動系に対して動作指令を出力し、第２記録紙３２上の画像形成開始位置と、前記感光体ドラム２４上の画像書込み開始位置３４とが合致するように制御する。
【００３４】
したがって、画像形成装置１の全体動作制御の一環として露光手段２６による感光体ドラム２４に対する静電潜像の形成位置を制御する制御部１１が、紙間設定手段である。また、感光体ドラム２４上に設定される紙間に対して、実際に印字部へ搬送される複数枚の記録紙の搬送間隔が合致するように調整する第１および第２検出センサ３５，３６、搬送ローラ２８およびその駆動系、レジストローラ３７およびその駆動系が、制御部１１とともに紙間調整部を構成する。
【００３５】
再び図１に戻って画像形成装置１の構成について説明する。
画像メモリ１５は、記憶部でありたとえばＲＡＭなどによって構成される。画像メモリ１５には、スキャナ部３で読み取った原稿の画像データが記憶される。また画像メモリ１５には、まさに印字記録が実行される画像データである第１画像データおよびその印字記録されるべき記録紙枚数である印字待ち枚数が記憶される。
【００３６】
画像分割部１６は、動作プログラムに基づく制御部１１からの動作指令に従い、印字記録される第１画像データとは異なる第２画像データであって、スキャナ部３で読み取られて画像メモリ１５に記憶された第２画像データに対し、以下の画像分割処理を実行する処理回路である。
【００３７】
画像分割部１６は、画像メモリ１５から読出した第２画像データであって原稿１ページ分の第２画像データを複数に分割し分割画像データを作成する。この第２画像データを分割するに際し、画像分割部１６は、分割によって生成される分割画像データのデータ開始部分およびデータ終了部分にあたる境界部が、該分割画像データの前に位置する前位置分割画像データの境界部および該分割画像データの後に位置する後位置分割画像データの境界部と、それぞれ画像データの重複部分を有するように分割する。
【００３８】
図３は、画像分割部１６による第２画像データの分割の概要を説明する図である。以下図３を参照して第２画像データの分割について説明する。図３では、画像分割部１６が、１枚分の記録紙に画像形成されるべき第２画像データを主操作方向に対して平行に４つに等分、すなわち第１〜第４分割画像データＡ，Ｂ，Ｃ，Ｄに等分する場合について例示する。第２分割画像データＢをとりあげると、前位置分割画像データである第１分割画像データＡと第２分割画像データＢとの境界部であり、第２分割画像データＢのデータ開始部分５１には、第１分割画像データＡとの画像データの重複部分５２が形成されるように、また後位置分割画像データである第３分割画像データＣと第２分割画像データＢとの境界部であり、第２分割画像データＢのデータ終了部分５３には、第３分割画像データＣとの画像データの重複部分５４が形成されるように、画像分割部１６が第２画像データを分割する。
【００３９】
第２分割画像データ以外の残余の分割画像データについても、第２分割画像データＢと同様にして、前後の分割画像データと重複した画像データ部分を有するように分割される。ただし、第２画像データ全体のデータ開始部分とデータ終了部分には、画像データの重複部分が形成されない。
【００４０】
第１画像データの印字待ちページ数に応じて紙間の処理ライン数を変更することができる。この場合、印字待ちページ数が少ない時は紙間での処理ライン数を多く（分割数を少なく）、印字待ちページ数が多いときは紙間での処理ライン数を少なく（分割数を多く）する。このようにすることで、印字待ちページ数が少ない時は、第１画像の印字処理時間自体が短いので、多少紙間が延びても全体の時間としては短いので、第１画像の印字待ちユーザ自体の待ち時間としては短く、また第２画像の画像処理は早くできる。一方、印字待ちページ数が多いときは紙間を短くするので、多量ページ印字の紙間を有効に利用でき、第１画像の印字待ちユーザの待ち時間を延ばすことがない。
【００４１】
図１に戻って、画像分割部１６によって分割された第２画像データは、画像入力部１７の動作によって画像処理部１８へ出力される。
【００４２】
画像処理部１８は、制御部１１による動作指令に従い、画像分割部１６によって分割された複数の第２画像データを、第１画像データを印字記録する紙間において画像処理する。ここで、画像処理を例示すると、たとえば纒竦ウ処理、フィルタ処理、変倍処理、回転処理などである。
【００４３】
画像処理部１８において画像処理された分割画像データは、画像出力部１９の動作によって画像組立部２０へ出力される。画像組立部２０は、画像分割部１６で分割され、画像処理部１８で画像処理された第２画像データの分割画像データを、再び記録紙１枚分の画像データに組み立てる処理回路である。画像組立部２０で記録紙１枚分に組み立てられた第２画像データは、画像組立部２０からメモリである画像バッファ２１へ入力されてストアされる。画像バッファ２１に一時ストアされた第２画像データは、第２画像データを印字記録する際に、制御部１１によって画像バッファ２１から読出され、同じく制御部１１からの動作指令に応じて動作するレーザ制御ＩＣ２２によってプリンタ部４へ送られる。画像回転部２３は、組み立てられた画像データに対して回転処理を施し、画像バッファ２１へ出力する。
【００４４】
画像形成装置１のプリンタ部４は、プリンタ制御部４１と、レーザ書込制御部４２とを含んで構成される。レーザ書込制御部４２は、感光体ドラム２４の帯電制御、露光手段による静電潜像の書込制御、静電潜像の現像に係る制御等、感光体ドラム２４上に画像形成するための動作制御を実行する。プリンタ制御部４１は、制御部１１の動作指令に基づいて、感光体ドラム２４上に形成された画像の記録紙への転写、記録紙へ転写された画像の定着などの動作制御を実行する。プリンタ部４は、感光体ドラム２４を一様な電位に帯電させ、コントローラ部２から送られる画像データに応じた光で感光体ドラム２４を露光して静電潜像を形成し、該静電潜像を現像してトナー画像として可視化し、トナー画像を記録紙に転写してさらに定着させる。すなわちプリンタ部４は印字部（印字動作実行部）である。
【００４５】
本発明では、画像入力部１７、画像処理部１８および画像出力部１９は画像処理ユニット２ａを構成し、制御部１１によってソフトウェアのレベルで他の部とは独立して制御される。
【００４６】
図４は、本実施形態における画像組立部２０および画像回転部２３の構成を示すブロック図である。
【００４７】
画像組立部２０は、画像入力部１７から入力される画像データを受け取るデータ入力部２００、ＤＭＡ方式で画像データの転送制御を行うＤＭＡ制御部２０１およびＤＭＡ制御に必要なパラメータを記憶するレジスタ部２０２を含む。レジスタ部２０２には、パラメータとして、バンド連係する際のバンドライン数と、連携先の画像処理ユニット２ａが要求するライン数である要求ライン数とが記憶される。ＤＭＡ制御部２０１は、画像データのライン数をカウントするラインカウンタ２０１ａ、およびラインカウンタのカウント数とバンドライン数または要求ライン数とを比較し一致したかどうかを判定する判定回路２０１ｂを含む。
【００４８】
画像回転部２３は、画像組立部２０から入力される画像データを受け取るデータ入力部２３０、ＤＭＡ方式で画像データの転送制御を行うＤＭＡ制御部２３１およびＤＭＡ制御に必要なパラメータを記憶するレジスタ部２３２を含む。
【００４９】
ここで前述のように、分割画像データの変倍処理を行う場合を想定する。バンド連携する際は、バンドエンド後、連携先に対しchain_end信号を通知し、それを受信した連携先は、自動的にＤＭＡを開始するが、この連携先がラインバウンダリ制約を持つ場合（たとえば１２８ライン）、制約を越える６４ライン分は、処理することができない。この問題を解決するために、変倍後画像データのリングメモリ深さを、(電子変倍後のライン数)＋[連携先の処理ライン数（ラインバウンダリの倍数）]としたうえで、連携先が要求するライン数をカウントするごとに画像データの処理完了信号であるchain_end信号を通知する制御を行い、紙間処理の一時停止中は状態を維持し、再開後、一時停止前の状態を引き継いで連携先に合わせたタイミングでchain_end信号を出力する。
【００５０】
これにより、紙間処理という限られた時間内で、ラインバウンダリ制約を持つ連携先との連携をスムーズに行い、かつ、メモリ使用量を節約することが可能となる。
【００５１】
図５は、本実施形態の画像処理を示すフローチャートである。
ステップＳ１では、画像処理開始信号ＳＴＡＲＴ１が出力されたかどうかを判断する。出力されていればステップＳ２に進み、出力されていなければ待機する。画像処理開始信号ＳＴＡＲＴ１は、印刷処理が施される第１画像データのページごとに出力される。
【００５２】
ステップＳ２では、第１画像データのページに対して印刷処理が施される。ステップＳ３では、画像処理開始信号ＳＴＡＲＴ２が出力されたかどうかを判断する。出力されていればステップＳ４に進み、出力されていなければステップＳ２に戻る。画像処理開始信号ＳＴＡＲＴ２は、第２画像データの分割画像データごとに出力される。
【００５３】
ステップＳ４では、分割画像データの読み取りを行う。ステップＳ５では、読み取りライン数が相手側の所望する所定のライン数に達したかどうかを判断する。この判断は判定回路２０１ｂが行い、ラインカウンタ２０１ａのカウント数と、要求ライン数とが一致したときに所定のライン数に達したと判断する。所定のライン数に達していればステップＳ６に進み、達していなければステップＳ７に進む。
【００５４】
ステップＳ６では、chain_end信号を出力してステップＳ４に戻る。ステップＳ７では、画像組立部が所望するライン数に達したかどうかを判断する。達していればステップＳ８に進み、達していなければステップＳ４に戻る。ステップＳ８では、読み取った分割画像データが最終ブロックであるかどうかを判断する。最終ブロックであればステップＳ９に進み、最終ブロックでなければステップＳ４に戻る。ステップＳ９では、リングメモリの深さを設定して処理を終了する。
【００５５】
次に本発明の他の実施形態について説明する。
上記の実施形態とは画像組立部２０の構成が異なっており、他の構成については同様の動作を行うので説明は省略する。
【００５６】
図６は、本実施形態における画像組立部２０および画像回転部２３の構成を示すブロック図である。画像組立部２０のデータ入力部２００は、画像データとともに入力されるデータ有効信号のエッジを検出する有効信号検出部２００ａを含む。
【００５７】
紙間処理を一時停止するタイミングは、分割画像データのライン数がバンドライン数までカウントアップしたことをもって検出する。しかしながら、連携先が外部チップでかつ、電子変倍などにより、入力される画像データのライン数が不明な場合には、一時停止タイミングを入力画像データのカウント数に基づいて検出することができない。
【００５８】
本実施形態では、入力画像データのカウント数による一時停止に加え、外部チップから入力されるデータ有効信号のネゲートされるエッジを検出し、一時停止する。また、一時停止の検出を通常処理時と紙間処理時とで切り替えることを可能とする。
【００５９】
これにより、通常処理時と紙間処理時とで、１つのＤＭＡ制御部を共有することが可能となり、回路規模（コスト）が節減される。ここで、通常処理とは、画像データを分割して処理するのでは無く、１ページ分のデータ連絡して処理することをいう。この場合、データ有効信号のネゲートとは独立したラインカウンタで処理の終了を検出する。また、紙間処理時についても、変倍を伴わない場合は、データ有効信号を参照する必要はないので、停止の検出を２種類の方法で切り替える場合がある。
【００６０】
図７は、本実施形態の画像処理を示すフローチャートである。
ステップＳ１１では、画像処理開始信号ＳＴＡＲＴ１が出力されたかどうかを判断する。出力されていればステップＳ１２に進み、出力されていなければ待機する。
【００６１】
ステップＳ１２では、第１画像データのページに対して印刷処理が施される。ステップＳ１３では、画像処理開始信号ＳＴＡＲＴ２が出力されたかどうかを判断する。出力されていればステップＳ１４に進み、出力されていなければステップＳ２に戻る。
【００６２】
ステップＳ１４では、分割画像データの読み取りを行う。ステップＳ１５では、データ有効信号のネゲートされるエッジを検出したかどうかを判断する。この判断は有効信号検出部２００ａが行い、データ有効信号の両エッジ（アサートおよびネゲート）のうちネゲートエッジを検出する。ネゲートエッジが検出されれば、ステップＳ１６に進み、検出されなければステップＳ１４に戻る。ステップＳ１６では、読み取りライン数が相手側の所望する所定のライン数に達したかどうかを判断する。達していればステップＳ１７に進み、達していなければステップＳ１１に戻る。ステップＳ１７では、chain_end信号を出力してステップＳ１１に戻る。
【図面の簡単な説明】
【００６３】
【図１】本発明の実施の一形態である画像形成装置１の電気的構成を簡略化して示すブロック図である。
【図２】画像形成装置１の感光体ドラム２４周辺の機械的構成を簡略化して示す図である。
【図３】画像分割部１６による第２画像データの分割の概要を説明する図である。
【図４】本実施形態における画像組立部２０および画像回転部２３の構成を示すブロック図である。
【図５】本実施形態の画像処理を示すフローチャートである。
【図６】本実施形態における画像組立部２０および画像回転部２３の構成を示すブロック図である。
【図７】本実施形態の画像処理を示すフローチャートである。
【符号の説明】
【００６４】
１  画像形成装置
２  コントローラ部
２ａ  画像処理ユニット
３  スキャナ部
４  プリンタ部
１１  制御部
１２  操作部
１３  記憶部
１４  表示部
１５  画像メモリ
１６  画像分割部
１７  画像入力部
１８  画像処理部
１９  画像出力部
２０  画像組立部
２１  画像バッファ
２２  レーザ制御ＩＣ
２３  画像回転部
２４  感光体ドラム
２６  露光手段
２７  転写ローラ
２８  搬送ローラ
３５，３６  検出センサ
３７  レジストローラ
４１  プリンタ制御部
４２  レーザ書込制御部
２００  データ入力部
２００ａ  有効信号検出部
２０１，２３１  ＤＭＡ制御部
２０１ａ  ラインカウンタ
２０１ｂ  判定回路
２０２，２３２  レジスタ部
２３０  回転処理部
【図１】
2008079048.tif 000003
【図２】
2008079048.tif 000004
【図３】
2008079048.tif 000005
【図４】
2008079048.tif 000006
【図５】
2008079048.tif 000007
【図６】
2008079048.tif 000008
【図７】
2008079048.tif 000009